(57)【要約】      （修正有）【課題】検出ステーションにおいて自動電源投入を行うことができる自動電源投入装置および方法を提供する。【解決手段】自動電源投入装置は、検出対象の携帯電話画面本体およびＦＰＣフレキシブルケーブルを固定するための治具1と、治具に内蔵され、検出対象の携帯電話画面本体に適合する溝３およびＦＰＣフレキシブルケーブルに適合する溝４が設けられた基板２と、第１組のピンおよび第２組のピンを有する信号板と、治具に固定され、信号板の第１組のピンをＦＰＣフレキシブルケーブルに圧着する圧着ユニットと、それぞれ信号板の第２組のピンおよび点灯装置に接続されたアダプタと、ＦＰＣフレキシブルケーブルの種別に基づき、対応するピン変換を行うように信号板およびアダプタを制御する制御ユニット、を含む。【選択図】図１
2018165715.tif 000002
【特許請求の範囲】
【請求項１】
自動電源投入装置であって、
検出対象の携帯電話画面本体およびＦＰＣフレキシブルケーブルを固定するための治具と、
前記治具に内蔵されており、前記検出対象の携帯電話画面本体に適合する溝および前記ＦＰＣフレキシブルケーブルに適合する溝が設けられた基板と、
第１組のピンおよび第２組のピンを有する信号板と、
前記治具に固定されており、前記信号板の第１組のピンを前記ＦＰＣフレキシブルケーブル７に圧着する圧着ユニットと、
それぞれ前記信号板の第２組のピンおよび点灯装置に接続されたアダプタと、
前記ＦＰＣフレキシブルケーブルの種別に基づき、対応するピン変換を行うように前記信号板および前記アダプタを制御する制御ユニットと、
を含む、ことを特徴とする自動電源投入装置。
【請求項２】
前記信号板の第１組のピンの数はＦＰＣフレキシブルケーブルのピン数より多い、ことを特徴とする請求項１に記載の自動電源投入装置。
【請求項３】
前記圧着ユニットは、圧着ガセットプレートおよびシリンダを含み、前記圧着ガセットプレートは前記ＦＰＣフレキシブルケーブルに適合する溝の上方に延在し、前記シリンダは前記治具内に取り付けられ、ＦＰＣフレキシブルケーブルおよび信号板の第１組のピンを自動圧着するように前記圧着ガセットプレートを駆動する、ことを特徴とする請求項１に記載の自動電源投入装置。
【請求項４】
前記アダプタは、治具の縁部に固定され、かつ信号板に接続された連結フィンガープラグボードと、点灯装置に固定された、前記連結フィンガープラグボードに対応する連結フィンガースロットと、を含む、ことを特徴とする請求項１に記載の自動電源投入装置。
【請求項５】
前記アダプタは、治具に固定され、かつ信号板に接続された連結フィンガースロットと、点灯装置に固定された、前記連結フィンガースロットに対応する連結フィンガープラグボードと、を含む、ことを特徴とする請求項１に記載の自動電源投入装置。
【請求項６】
前記連結フィンガープラグボードまたは連結フィンガースロットのピン数は前記信号板の第２組のピンの数より多い、ことを特徴とする請求項４または５に記載の自動電源投入装置。
【請求項７】
前記制御ユニットは、ＦＰＣフレキシブルケーブルの種別に対応するＦＰＣフレキシブルケーブルのピン情報を記憶するメモリバンクを含み、記憶されたＦＰＣフレキシブルケーブルのピン情報に基づき、対応するピン変換を行うように信号板およびアダプタを制御する、ことを特徴とする請求項１に記載の自動電源投入装置。
【請求項８】
前記点灯装置は前記制御ユニットに接続されたＰＣＢボードを採用する、ことを特徴とする請求項１に記載の自動電源投入装置。
【請求項９】
前記治具には外部固定装置に接続するための固定装置ソケットおよび外部に接続するためのシリンダ給気口が設けられている、ことを特徴とする請求項１に記載の自動電源投入装置。
【請求項１０】
請求項１〜９のいずれか一項に記載の自動電源投入装置を採用する自動電源投入方法であって、
検出対象の携帯電話画面本体の種別に基づき、基板を選択し、前記基板を治具に内蔵させることと、
検出対象の携帯電話画面本体およびＦＰＣフレキシブルケーブルを基板における対応する溝内に配置することと、
圧着ユニットにより、信号板の第１組のピンを前記ＦＰＣフレキシブルケーブルに圧着することと、
アダプタを介して信号板の第２組のピンと点灯装置とを接続することと、
制御ユニットにより、ＦＰＣフレキシブルケーブルの種別に基づき、対応するピン変換を行うように信号板およびアダプタを制御することと、
点灯装置により、前記検出対象の携帯電話画面本体に対して電源を投入することと、
を含む、ことを特徴とする自動電源投入方法。
【請求項１１】
前記点灯装置はＰＣＢボードを採用し、前記ＰＣＢボードは制御ユニットに記憶された情報パラメータに基づき、ＰＣＢボードと信号板との間のインタラクティブシグナルを調整し、信号板と検出対象の携帯電話画面本体との間のインタラクティブシグナルを調整する、ことを特徴とする請求項１０に記載の自動電源投入方法。
【請求項１２】
他の一つの検出対象の携帯電話画面本体が存在する場合、当該他の一つの検出対象の携帯電話画面本体のＦＰＣフレキシブルケーブルのピン数を入力パラメータとして制御ユニットに書き込む、ことを特徴とする請求項１０に記載の自動電源投入方法。
【請求項１３】
制御ユニットは、ＦＰＣフレキシブルケーブルの種別に基づき、ＦＰＣフレキシブルケーブルのピン情報を取得し、さらに、当該ピン情報に基づき、対応するピン変換を行うように信号板およびアダプタを制御する、ことを特徴とする請求項１０に記載の自動電源投入方法。
【発明の詳細な説明】
【技術分野】
【０００１】
本発明は、携帯電話画面製品の欠陥を検出する装置に関し、特に、自動電源投入装置および方法に関する。
【背景技術】
【０００２】
現在の携帯電話画面製品の欠陥を検出する装置には、半自動の方式を採用するものが多く、全自動の検出装置は非常に少ない。携帯電話画面の検出装置の自動化を妨げる１つの大きな問題は、携帯電話画面製品の自動電源投入問題である。携帯電話画面製品は携帯電話画面の本体部分およびそのＦＰＣフレキシブルケーブル部分を含み、ＦＰＣフレキシブルケーブルは携帯電話画面内部の駆動回路に接続され、携帯電話画面内部の回路を接続する唯一の通路である。ユーザー市場のスマートフォン機能に対する要求が日々高まり、外観および寸法に対する究極の追求に伴って、スマートフォンの設計におけるＦＰＣフレキシブルケーブルに対する要求もより厳しくなっている。ＦＰＣフレキシブルケーブルは、携帯電話メーカーの様々なカスタマイズの要求を満たすために、携帯電話画面製品のＦＰＣフレキシブルケーブルの形状が多様化され、出来栄えもより精密になっている。様々な出来栄えが精密である携帯電話画面製品のＦＰＣフレキシブルケーブルを自動で圧着し電源を投入することは、携帯電話画面検出装置を全自動化する大きな課題となっている。従来技術にはＦＰＣフレキシブルケーブルの弾圧治具が提供され、簡単な半自動圧着装置が公開されているが、具体的にＦＰＣフレキシブルケーブルはどのように電源を投入しているのかを説明していない。
【発明の概要】
【発明が解決しようとする課題】
【０００３】
本発明は、様々な形状の携帯電話画面製品およびそのＦＰＣフレキシブルケーブルに対して全自動圧着を行い、検出ステーションにおいて自動電源投入を行うことができる自動電源投入装置および方法を提供することを目的とする。
【課題を解決するための手段】
【０００４】
上記目的を達成するための本発明に係る自動電源投入装置は、検出対象の携帯電話画面本体およびＦＰＣフレキシブルケーブルを固定する治具と、前記治具に内蔵されており、前記検出対象の携帯電話画面本体に適合する溝および前記ＦＰＣフレキシブルケーブルに適合する溝が設けられた基板と、第１組のピンおよび第２組のピンを有する信号板と、治具に固定され、前記信号板の第１組のピンをＦＰＣフレキシブルケーブルに圧着する圧着ユニットと、それぞれ前記信号板の第２組のピンおよび点灯装置に接続されたアダプタと、前記ＦＰＣフレキシブルケーブルの種別に基づき、対応するピン変換を行うように前記信号板および前記アダプタを制御する制御ユニットと、を含む。
【０００５】
好ましくは、前記信号板の第１組のピンの数はＦＰＣフレキシブルケーブルのピンの数より多い。
【０００６】
好ましくは、前記圧着ユニットは圧着ガセットプレートおよびシリンダを含み、前記圧着ガセットプレートは前記ＦＰＣフレキシブルケーブルに適合する溝の上方に延在し、前記シリンダは前記治具内に取り付けられ、ＦＰＣフレキシブルケーブルと信号板の第１組のピンを自動圧着するように前記圧着ガセットプレートを駆動する。
【０００７】
好ましくは、前記アダプタは、治具の縁部に固定され、かつ信号板に接続された連結フィンガー（ｃｏｎｎｅｃｔｉｎｇ  ｆｉｎｇｅｒ）プラグボードと、点灯装置に固定された、前記連結フィンガープラグボードに対応する連結フィンガースロットと、を含む。
【０００８】
好ましくは、前記アダプタは、治具に固定され、かつ信号板に接続された連結フィンガースロットと、点灯装置に固定された、前記連結フィンガースロットに対応する連結フィンガープラグボードと、を含む。
【０００９】
好ましくは、前記連結フィンガープラグボードまたは連結フィンガースロットのピン数は前記信号板の第２組のピンの数より多い。
【００１０】
好ましくは、前記制御ユニットは、ＦＰＣフレキシブルケーブルの種別に対応するＦＰＣフレキシブルケーブルのピン情報を記憶するメモリバンクを含み、記憶されたＦＰＣフレキシブルケーブルのピン情報に基づき、対応するピン変換を行うように信号板およびアダプタを制御する。
【００１１】
好ましくは、前記点灯装置は、前記制御ユニットに接続されたＰＣＢボードを採用する。
【００１２】
好ましくは、前記治具には、外部固定装置に接続するための固定装置ソケットおよび外部に接続するためのシリンダ給気口が設けられている。
【００１３】
本発明は、さらに上記のような自動電源投入装置を採用する自動電源投入方法を提供する。該方法は、
検出対象の携帯電話画面本体の種別に基づき基板を選択し、前記基板を治具に内蔵させることと、
検出対象の携帯電話画面本体およびＦＰＣフレキシブルケーブルを基板における対応する溝内に配置することと、
圧着ユニットにより、信号板の第１組のピンを前記ＦＰＣフレキシブルケーブルに圧着することと、
アダプタを介して信号板の第２組のピンと点灯装置とを接続することと、
制御ユニットにより、ＦＰＣフレキシブルケーブルの種別に基づき、対応するピン変換を行うように信号板およびアダプタを制御することと、
点灯装置により、前記検出対象の携帯電話画面本体に対し電源を投入することと、
を含む。
【００１４】
好ましくは、前記点灯装置はＰＣＢボードを採用し、前記ＰＣＢボードは制御ユニットに記憶された情報パラメータに基づき、ＰＣＢボードと信号板との間のインタラクティブシグナルを調整し、信号板と検出対象の携帯電話画面本体との間のインタラクティブシグナルを調整する。
【００１５】
好ましくは、他の一つの検出対象の携帯電話画面本体が存在する場合、当該他の一つの検出対象の携帯電話画面本体のＦＰＣフレキシブルケーブルのピン数を入力パラメータとして制御ユニットに書き込む。
【００１６】
好ましくは、制御ユニットはＦＰＣフレキシブルケーブルの種別に基づき、ＦＰＣフレキシブルケーブルのピン情報を取得し、さらに、当該ピン情報に基づき、対応するピン変換を行うように信号板およびアダプタを制御する。
【発明の効果】
【００１７】
従来技術に比べ、本発明は以下の利点を有する。
１．本発明の自動電源投入装置および方法によれば、様々な種別の携帯電話画面製品と互換可能であり、良好な互換性を有する。
２．本発明によれば、携帯電話画面製品のＦＰＣフレキシブルケーブル端子を自動で圧着することができる。
３．本発明によれば、検出ステーションにおいて携帯電話画面製品に対し自動で電源を投入することができる。
４．本発明によれば、信号板を介して信号変換を行い、携帯電話画面プログラムの遠隔コンフィグレーションする問題を解消することができる。
５．本発明は実際の製造に適用することができ、圧着精度が高く、信頼性が高いという特徴を有する。
【図面の簡単な説明】
【００１８】
【図１】本発明の一具体的な実施形態における治具の平面構造を示す図である。
【図２】本発明の一具体的な実施形態における自動電源投入装置の電源投入の原理を示す図である。
【図３】本発明の一具体的な実施形態における治具の立体構造を示す図である。
【図４】本発明の一具体的な実施形態における自動電源投入装置の立体構造を示す図である。
【図５】本発明の一具体的な実施形態における自動電源投入装置のワークステーション構造を示す図である。
【発明を実施するための形態】
【００１９】
本発明の上記目的、特徴および利点をより明瞭で分かりやすくするために、以下、図面に合わせて本発明の具体的な実施形態を詳しく説明する。説明すべきことは、本発明の実施例をより簡単、明確に説明するために、本発明の図面はいずれも簡単化した形式を採用し、いずれも精密でない比例を用いる。
【００２０】
図１〜図３に示すように、本発明に係る自動電源投入装置は、治具１、基板２、信号板９、圧着ユニット、アダプタおよび制御ユニットを含む。
【００２１】
上記基板２は、携帯電話画面製品の具体的な形状に基づいて設計されたモデルであり、主に携帯電話画面本体８およびフレキシブルプリント回路基板（Ｆｌｅｘｉｂｌｅ  Ｐｒｉｎｔｅｄ  Ｃｉｒｃｕｉｔ，ＦＰＣ）フレキシブルケーブル７を固定する役割を果たす。即ち、上記基板２には携帯電話画面本体８およびＦＰＣフレキシブルケーブル７にそれぞれ適合する携帯電話画面製品本体の溝３およびＦＰＣフレキシブルケーブルの溝４が開設されている。
【００２２】
さらに、上記基板２は治具１に内蔵可能であり、便利に着脱し交換することができ、製品を変更する必要がある場合、治具１を変更する必要なく、製品スタイルに基づき、対応する基板２を製造し治具１に嵌め込めばよい。そのため、基板２と治具１との嵌合方式により、本発明を異なる種別の製品の必要に満たせ、特に様々な形状のＦＰＣフレキシブルケーブル７の製品に対する必要に満たせることができる。
【００２３】
上記圧着ユニットは、圧着ガセットプレート５およびシリンダ（図示せず）を含み、上記圧着ガセットプレート５は治具１の内部に取り付けられ、最上部は上記ＦＰＣフレキシブルケーブルの溝４の上方に延在し、上記シリンダは上記治具１内に取り付けられ、ＦＰＣフレキシブルケーブル７および信号板９のピンを自動圧着するように上記圧着ガセットプレート５を駆動する。上記信号板９は治具１に固定され、具体的には上記圧着ガセットプレート５の内部に取り付けられており、該信号板９の一端のピンは上記圧着ガセットプレート５の外部に接続され、ＦＰＣフレキシブルケーブル７に接続し、他端のピンはアダプタに接続されている。携帯電話画面製品８が基板２における携帯電話画面製品本体の溝３およびＦＰＣフレキシブルケーブルの溝４に供給された後、シリンダはＦＰＣフレキシブルケーブル７の端子のピンを自動圧着するように圧着ガセットプレート５を駆動し、よってＦＰＣフレキシブルケーブル７と信号板９との接続を完了させる。
【００２４】
図２を重点的に参照すると、上記アダプタは、連結フィンガープラグボード１１および連結フィンガースロット１０を含む。ここで、連結フィンガープラグボード１１と連結フィンガースロット１０の取り付け方式には、上記連結フィンガースロット１０を治具１に固定し、連結フィンガープラグボード１１を対応する点灯装置１２に固定すること、連結フィンガープラグボード１１を上記治具１の縁部に取り付け、連結フィンガースロット１０は対応する点灯装置１２に固定すること、という２つの方式がある。当然ながら、治具１に位置する連結フィンガープラグボード１１／連結フィンガースロット１０は、信号板９に接続される。本実施例の好ましい第１解決手段は、上記連結フィンガースロット１０を上記治具１に設け、携帯電話画面製品に対し電源を投入する必要がある際に、上記連結フィンガープラグボード１１を連結フィンガースロット１０に挿入し、さらに信号板９と点灯装置１２との間の接続を実現することである。
【００２５】
さらに、上記信号板９のＦＰＣフレキシブルケーブル７に接続された一端のピン数はＦＰＣフレキシブルケーブル７に対して冗長性を有するとともに、上記連結フィンガープラグボード１１および連結フィンガースロット１０のピン数は信号板９に対して冗長性を有し、即ち、連結フィンガープラグボード１１および連結フィンガースロット１０のピン数は信号板９のピン数より多い。例えば、ＦＰＣフレキシブルケーブル７のピン数は１６であり、信号板９のピン数は６０を取るが、連結フィンガープラグボード１１および連結フィンガースロット１０のピン数は７２を取る。即ち、各携帯電話画面製品のＦＰＣフレキシブルケーブル７のピン数が異なるため、ピン数が異なるＦＰＣフレキシブルケーブル７を互換可能にするために、本実施例における信号板９、連結フィンガープラグボード１１および連結フィンガースロット１０はいずれも複数のピン数を使用し、ＦＰＣフレキシブルケーブル７のピン数が変更される場合、信号板９におけるプログラムを調整することにより、ＦＰＣフレキシブルケーブル７のピンと点灯装置１２との連通を完了することができる。そのため、本発明の自動電源投入装置は、様々なＦＰＣフレキシブルケーブル７のピン規格の携帯電話画面製品に適応することができる。
【００２６】
説明すべきことは、点灯装置１２は携帯電話画面のドライブをコンフィグレーションする電気信号を遠隔伝送することができず、実際の製造において、現場の検出ステーションが多いため、点灯装置１２の携帯電話画面製品の点灯位置からの距離が遠く、携帯電話の画面を直接点灯させることができない。そのため、上記信号板９の一端をＦＰＣフレキシブルケーブル７に接続し、他端をピン数がより多い連結フィンガープラグボード１１／連結フィンガースロット１０に接続することによって、点灯装置１２における電気信号を携帯電話画面製品の受信可能な電気信号に変換し、携帯電話画面製品の自動電源投入を実現することができる。
【００２７】
さらに、上記制御ユニットのメモリバンクには様々なピン情報のＦＰＣフレキシブルケーブル７の種別が記憶され、上記制御ユニットは記憶されたＦＰＣフレキシブルケーブル７の種別に基づき、対応するピン変換を行うように信号板９を制御する。即ち、携帯電話画面製品を点灯する必要がある場合、制御ユニットは、まず接続対象のＦＰＣフレキシブルケーブル７の種別に基づき、メモリバンクからＦＰＣフレキシブルケーブル７のピン情報を取得し、さらに、このピン情報に基づき、対応するピン変換を行うように信号板９を制御する。
【００２８】
図４および図５に示すように、実際の使用において、携帯電話画面製品は治具１に配置され、圧着ユニットはＦＰＣフレキシブルケーブル７を信号板９に接続させ、続いて、治具１は携帯電話画面製品を載置してレールにおいて移動するように搬送機構１５により駆動され、携帯電話画面製品を検出ステーションに搬送する。治具１は製品を載置しながら異なる検出ステーションで検出しなければならず、かつ治具１の内部には電源供給ユニットがないため、各ステーションのところにおいて製品に対し電源を投入し点灯させなければならない。また、検出過程においても製品に対してプログラムコンフィグレーションなどの動作を実施しなければならず、この機能も検出ステーションにおいて製品を点灯装置１２に接続可能に要求しなければならないため、本発明における点灯装置１２は複数群設けられており、各検出ステーションには１群の点灯装置１２が対応するように設けられている。
【００２９】
そのため、各検出ステーションには、いずれも治具１を固定するための固定装置１３が設けられており、当然ながら、上記治具１には固定装置のソケット１０１およびシリンダ給気口１０２が対応するように設けられている。即ち、治具１は専用の搬送機構１５に駆動されて移動し、治具１が対応するステーションに移動した後、治具１は固定装置１３により固定され、さらに、治具１が治具搬送ステーション１６１から治具検出ステーション１６２に上昇するように、検出ステーションに位置する杭押上げ装置１４により押上げられ、信号板９はさらに連結フィンガープラグボード１１を介して連結フィンガースロット１０に接続され、さらに、ＰＣＢボードでもある電源投入装置１２に接続される。携帯電話画面製品のＦＰＣフレキシブルケーブル７は、上記一連の切り換えを経た後、最終的にはＰＣＢボードに接続され、ＰＣＢボードはプログラムを起動して製品に対する電源投入操作を行うことができる。
【００３０】
図１〜５を続けて参照すると、本発明はさらに自動電源投入方法を提供し、該方法は、
携帯電話画面製品の種別に基づき、基板２を選択し、上記基板２を治具１に内蔵させ、その後、携帯電話画面本体８およびＦＰＣフレキシブルケーブル７をそれぞれ携帯電話画面本体の溝３およびＦＰＣフレキシブルケーブルの溝４に配置し、携帯電話画面製品に対する固定を実現することと、
続いて、圧着ユニットにおけるシリンダにより上記圧着ガセットプレート５の移動を制御することによって、信号板９の一端をＦＰＣフレキシブルケーブル７に圧着することと、
連結フィンガープラグボード１１を連結フィンガースロット１０に挿入することにより、さらに信号板９と点灯装置１２とを接続させることと、
制御ユニットにより、ＦＰＣフレキシブルケーブル７の種別に基づき、ＦＰＣフレキシブルケーブル７のピン情報を取得し、さらにこのピン情報に基づき、対応するピン変換を行うように信号板およびアダプタを制御することと、
続いて、点灯装置１２により上記携帯電話画面製品に対して電源を投入し、具体的には、上記点灯装置１２はＰＣＢボードを採用し、上記ＰＣＢボードは制御ユニットにより送信された情報パラメータに基づき、ＰＣＢボードと信号板との間のインタラクティブシグナルを調整する一方、信号板９と携帯電話画面製品との間のインタラクティブシグナルを調整することと、を含む。
【００３１】
さらに、新しい携帯電話画面製品の種別がある場合（即ち、制御ユニットのメモリバンクに該携帯電話画面製品のＦＰＣフレキシブルケーブル７に対応するピン情報がない場合）、後続の操作が便利であるように、まず該携帯電話画面製品のＦＰＣフレキシブルケーブル７のピン数を入力パラメータとして制御ユニットに書き込まなければならない。
【００３２】
明らかに、当業者であれば、本発明の技術的思想および範囲を逸脱しない限り、様々な修正や変形を行うことができる。このように、本発明のこれらの修正や変形が本発明の特許請求の範囲およびその均等の技術的範囲内に属する場合、本発明の保護範囲はこれらの修正や変形を含むべきである。
【符号の説明】
【００３３】
１  治具、
１０１  固定装置のソケット、
１０２  シリンダ給気口、
２  基板、
３  携帯電話画面本体の溝、
４  ＦＰＣフレキシブルケーブルの溝、
５  圧着ガセットプレート、
７  ＦＰＣフレキシブルケーブル、
８  携帯電話画面本体、
９  信号板、
１０  連結フィンガースロット、
１１  連結フィンガープラグボード、
１２  点灯装置、
１３  固定装置、
１４  杭押上げ装置、
１５  搬送機構、
１６１  治具搬送ステーション、
１６２  治具検出ステーション。
【図１】
2018165715.tif 000003
【図２】
2018165715.tif 000004
【図３】
2018165715.tif 000005
【図４】
2018165715.tif 000006
【図５】
2018165715.tif 000007